(57)【特許請求の範囲】
【請求項１】
同一又は同様のブロックと組み立てることによって壁部を築造するための折り畳み可能な堰板ブロックであって、前記ブロックＢが、ヒンジによって接続された２つの長手方向及び平行な垂直壁部（２）を備え、前記ヒンジのヒンジ要素（３と４）が、垂直ピンによって互いにかつ前記壁部（２）に連接されて、前記ブロックに、
・前記ヒンジ要素（３、４）が互いに対して折られ、前記堰板ブロックＢが最小の幅を有する、折り畳まれた、保管及び輸送構造と、
・前記堰板ブロックがその最大幅を有する作業構造と、
・前記壁部要素（２）がそれらの最大間隔にはないが、真下の前記堰板ブロック（Ｂ２とＢ３）に着座することができ、すでに敷設されている前記ブロック（Ｂ２、Ｂ３及びＢ４）に対する前記ブロック（Ｂ５）の相対的な位置決めを、前記ブロックがその作業位置に持ってこられる前に、より容易に行うための中間構造と、
を含む様々な構造を与えるような前記折り畳み可能な堰板ブロックにおいて、
前記ブロックの前記２つの長手方向壁部（２）の各々が、剛性プラスチックで成形することによって製造され、内側に向かって面する、曲がった返し（５ａ、５ｂ、５ｃ及び５ｄ）によって取り囲まれ、Ｖセクション又はＵセクションのリベート（７）を、一方で前記返しのそれぞれ下方（５ｂ）又は上方（５ａ）の長手方向部分に、他方で前記返しの端部の１つの垂直縁部に備え、前記リベートの開口部が外側に面し、前記ブロックが前記作業構造に持ってこられるときにすでに敷設されている他のブロックの曲がった返し（５ｂ又は５ｃ）に前記リベートが嵌合して、前記ブロックが前記他のブロックと同一のコースで並置されるか、又は下方のコースで並置されるかに関わらず、前記他のブロックとの接続を行うことができることを特徴とする、折り畳み可能な堰板ブロック。
【請求項２】
前記ヒンジ要素（３ａ、３ｂ、３ｃ、３ｄ、４ａ、４ｂ、４ｃ、４ｄ）が、分解可能であり、交換可能であり、および前記ヒンジ要素が、垂直及び横断方向の寸法に関して異なり、及びそれらの壁部が開口加工されたか又は隙間がないかに関して異なる一連の要素から選択されることを特徴とする、請求項１に記載の堰板ブロック。
【請求項３】
前記ヒンジ要素（３ａ、３ｂ、３ｃ、３ｄ、４ａ、４ｂ、４ｃ、４ｄ）の各々が、前記堰板ブロックの前記壁部（２）に連接されるように意図された各々のヒンジ要素の外側垂直縁部に、材料（１０）のブリッジによって前記壁部（２）から離間して保持された垂直ピン（９）の上に弾性的にクリップ留めできるＣ字状のフック（１３）の重ね合わせを備え、前記ブリッジが互いに垂直に離間され、それによって、前記壁部と前記垂直ピンとの間に、前記フック（１３）を受け入れる通路（１２）を形成することを特徴とする、請求項１に記載の堰板ブロック。
【請求項４】
各々のヒンジには、前記要素（３）の一方を前記他方の要素（４）に連接させるために使用される内側垂直縁部に、垂直に離間した交互のＣ字状のフック（１５）を備え、一方、前記他方の要素（４）が、その内側垂直縁部に、重ね合わせられかつ離間した円筒状のピンセクション（１７）を有し、前記円筒状のピンセクションの各々が前記他方の要素（３）のフック（１５）を受容でき、前記ピンセクション（１７）が、前記ピンセクションよりも大きな直径の材料ブリッジ（１８）と垂直に交互に位置し、前記ブリッジが同時に前記ピンセクションを前記縁部から離して保持しつつ、前記ピンセクションを前記要素の縁部に接続することを特徴とする、請求項１に記載の堰板ブロック。
【請求項５】
まぐさ用の前記型枠を形成するために同一の壁部開口部Ｔで整列される前記堰板ブロックＢを補強する補強鋼を受容する空間（２２）を前記堰板ブロックの内部上方部分に形成するために、前記ヒンジ要素（３ｂ、４ｂ）が前記堰板ブロックの下方部分のみにわたって垂直に延在することを特徴とする、請求項１に記載の堰板ブロック。
【請求項６】
前記長手方向壁部（２）の各々が、前記壁部の厚さに、絶縁パネル（３０）及び絶縁シート（３３）から突出する相補的なキャッチ手段（３５）を受容できる、例えばボタン穴のスロットの形状の取付けスロット（８）を備え、前記絶縁パネル（３０）が、内側及び垂直の空洞（３２）を有する壁部（３０）から構成され、前記前記シート（３３）が、絶縁ライニング（３４）が確実に適用される中実壁部（３３）から構成されることを特徴とする、請求項１に記載の堰板ブロック。
【請求項７】
前記堰板ブロックが、前記堰板ブロックの底部をそれぞれ閉鎖できるプレート（それぞれ４０と５０）と協働し、前記堰板ブロック端部の少なくとも一方が、
・  遮断されるべき面に対し平行であり、かつ前記遮断されるべき面と同一の寸法を有する中実壁部（４１）と、
・  ２つの長手方向の曲がった返し（４２）と、
・  各々の曲がった返し（４２）から反対側の前記返しに向かって前記プレート内に突出するウェッジフィン（４３）であって、閉鎖されるべき前記ブロックの前記リベート（７）に嵌合できるウェッジフィン（４３）と、
を備えることを特徴とする、請求項１に記載の堰板ブロック。
【請求項８】
前記堰板ブロックの底部及び／又は端部の少なくとも１つを閉鎖する閉鎖プレート（４０と５０）と、前記堰板ブロックの外側及び内側に向かう熱的及び／又は音響的絶縁を行うよう前記壁に設けられる絶縁要素（３０と３３）とを有し、
前記堰板ブロックの構成要素のうち、前記堰板ブロックの長手方向壁部（２）と、前記堰板ブロックのヒンジを形成する横断方向仕切り部（３、４）と、前記堰板ブロックの閉鎖プレート（４０と５０）と、前記堰板ブロックの絶縁要素（３０と３３）の少なくとも前記壁部から構成される部位とが、６０〜８０重量％の木屑のような繊維質材料を含むポリプロピレン混合物の圧縮射出成形によって製造されることを特徴とする、請求項１に記載の堰板ブロック。
【発明の詳細な説明】
【技術分野】
【０００１】
本発明は、従来の瓦礫ブロックに取って代わるように意図された壁部を築造するための折り畳み可能な堰板ブロックに関する。
【背景技術】
【０００２】
従来、一般に「瓦礫ブロック」として公知の堰板ブロックは、セメント、煉瓦又は他の凝集材料のような建築材料から個々に生産され、２つの長手方向の平行の垂直壁部と、セメント、コンクリート又は土壌のような充填材料を受容できる垂直の空洞を画定する複数の横断方向仕切り部とを備え、また堰板ブロックは補強鋼を有してもよく又は有しなくてもよい。
【０００３】
壁部を築造するために、パレットのブロックが築造現場の近くに持ってこられ、次に１つずつ手で外されて、一方のコースから次のコースに半ブロックオフセットして、重ね合わせたコースで整列される。
【０００４】
各々のブロックはモノリシックであり、ブロックの寸法は、２０〜２２キログラム程度であるブロックそれ自体の重量によって制限されるが、この理由は、ブロックの製造場所と壁部が築造される場所との間で、手動でかつ繰り返して個人の身体によってブロックを取り扱わなければならないからである。さらに、確定しかつ決定的なブロックの平行六面体の形状のため、築造作業に必要なブロックは、複数のパレットに供給されなければならず、したがって、ブロックを輸送するためにトラック及びバンのような重車両を必要とし、また積み込まれたパレットを取り扱うためのフォークリフトトラックのような昇降ギヤを必要とする。
【０００５】
これらの様々な制約は、境界壁部、家又はプールを自分で築造することを望む個人がブロックを使用できる範囲を制限する。
【先行技術文献】
【特許文献】
【０００６】
【特許文献１】米国特許第２００４／０１０３６０９号明細書
【発明の概要】
【発明が解決しようとする課題】
【０００７】
本発明の１つの目的は、壁部を築造するために使用される前に、一方で、より小さな質量を有し、したがって、ブロックを取り扱うために必要な労力を制限し、他方で、保管及び輸送のためにブロックが占める体積を制限するためにより小さなサイズを有し、同時に、建設中に、従来のブロック又は瓦礫ブロックと同一の機能を提供し、かつ建設のニーズに適するより大きな適応性を可能にする堰板ブロックを提供することである。
【０００８】
米国特許第２００４／０１０３６０９号明細書は、同一又は同様のブロックで組み立てられるとき、コースの並置及びこれらのコースの重ね合わせによって絶縁壁部を形成できる折り畳み可能な堰板ブロックを開示している。各々のブロックは、離間しまた２部分の横断方向ヒンジによって互いに接合される２つの長手方向及び平行な垂直壁部から構成され、これらの２つのヒンジ要素は、垂直の関節によって互いに連接され、他の垂直の関節によって壁部に連接される。この構造のため、各々のブロックは、次のいくつかの構造を有することができる。すなわち、
・  ヒンジ要素が互いに対し折られ、かつ堰板ブロックがその壁部の厚さの和に実質的に等しい最小の幅を有する、折り畳まれた、保管及び輸送構造、
・  ヒンジ要素が互いに整列される作業構造であって、堰板ブロックがその最大幅を有し、かつ堰板ブロックの長手方向壁部を、すでに敷設されているブロックの長手方向壁部と重ね合わせることができる作業構造、
・  例えばそれほど厚くない壁部を形成するために、壁部要素がそれらの最大間隔にない様々な中間構造。
【０００９】
ブロックの相対位置決めは、長手方向溝に係合することによって達成され、長手方向溝は、各々の壁部の底部にかつ下縁に、各々の長手方向壁部の上縁から上方に突出するリブの上に開口する。
【００１０】
ブロックの折り畳み性とは、ブロックを小さくすることができるが、第一に、ブロックの発泡体壁部に取り付けられた剛性のプラスチックヒンジ要素を構成要素の上に取り付けるために、第二に、ヒンジ要素と壁部とを共にヒンジ結合する多数のヒンジピンを取り付けるために、多数の取扱い操作を伴うことを意味する。
【００１１】
さらに、リブと溝との間の相互作用によってブロックを位置決めすることにより、横断方向の並進移動に関してのみブロックが移動不能にされ、ブロックの間の確実な接合が形成されない。この構造は、充填材料が打ち込まれるとき、あるブロックが長手方向に摺動することがあり、充填材料が漏れる可能性がある間隙を形成することを意味する。
【００１２】
本発明の第２の目的は、個々の重量は小さいが、壁部を築造するために使用する場合、特に充填材料の打ち込みにより生じる荷重に耐える機能に関してモノリシック、剛性かつ強力である組立体を形成するために、長手方向及び垂直の両方にブロックの隣接部に接続でき、かつ型押しを必要としないブロックを提供することである。
【課題を解決するための手段】
【００１３】
したがって、本発明は、折り畳み可能なブロックに関し、このブロックの長手方向壁部は垂直に連接されたヒンジ要素によって接続され、したがって、これらの壁部はいくつかの構造を採用することができ、これらの構造は、それぞれ保管構造、作業構造及び中間構造である。
【００１４】
本発明によれば、２つの長手方向壁部の各々は、剛性プラスチックで成形することによって製造され、内側に向かって面する、曲がった返しによって取り囲まれ、Ｖセクション又はＵセクションのリベートを、一方で返しのそれぞれ下方又は上方の長手方向部分に、他方で返しの端部の１つの垂直縁部に備え、リベートの開口部は外側に面し、ブロックが作業構造に持ってこられるときにすでに敷設されている他のブロックの曲がった返しにこのリベートが嵌合して、このブロックが他のブロックと同一のコースで並置されるか、又は下方のコースで並置されるかに関わらず、この他のブロックとの接続を行うことができる。
【００１５】
上述のことのため、ブロックが他のブロックの側に敷設されると、各々のブロックは、その隣接部に機械的に接合され、分解もできず、変形もできない剛性のモノリシック壁部が形成される。この構成は、ブロックコースの強度を保証し、またブロックコースが変形なしに補強鋼のその後の任意の追加、及びコンクリート、コンクリートと麻、コンクリートとバーミキュライト、粘土、こね土、石灰、わら又は木片のような充填材料の打ち込みに耐えることを可能にする。
【００１６】
さらに、またブロックは剛性のプラスチック成形として形成されるので、ブロックそれ自体は現在のブロックよりもはるかに軽く、例えば、５００×２５０×２００ミリメートルの標準ブロックでは、重量は、２２キログラムでなく１．４キログラムである。
【００１７】
さらに、各々のブロックの壁部を接続するヒンジは、ブロックを折り畳まれた状態で保管することを可能にし、例えば、１２０のブロックを標準パレットに積み重ねることを可能にし、高さ１．２０メートル、重量１６０キログラムのスタックを形成する。１５ｍ２の面積を有する壁部を作製することができるこの量のブロックは、個人の車両で容易に輸送することができ、したがって、トラック及びフォークリフトトラックを使用する必要がなく、したがって、個人がブロックを使用できる範囲を大きくする。
【００１８】
本発明によるブロックの軽さのため、現場で取り扱うことがより容易になり、同様に、すでに敷設されたブロックコースに位置決めして、ブロックの楔留め手段と、隣接するブロックの楔留め手段とを整列できるように中間位置に持ってくることがより容易になる。壁部の築造現場で、楔留め手段の相互貫通によって、すでに敷設されておりかつすでに作業位置にあるブロックの縁部にブロックの縁部を機械的に接合できるように、重量のこの軽さによりブロックの壁部を離間することが容易になる。
【００１９】
一実施形態でまた有利に、ヒンジ要素は、分解可能であり、交換可能であり、またヒンジ要素の垂直及び横断方向の寸法に関し、及び開口加工又は隙間のないヒンジ要素の壁部に関し異なる一連の要素から選択される。
【００２０】
したがって、標準的な長手方向壁部と適切なヒンジ要素との簡単な組み合わせによって、ブロックの幅に関して、様々な充填材料を受け入れるブロックの機能に関して、またブロックの熱的及び／又は音響的な絶縁に関して異なる多数のブロックを得ることが可能である。
【００２１】
本発明の一実施形態では、ブロックの長手方向壁部の各々は、壁部の厚さに、絶縁シートの背部に配置された相補的なキャッチ手段を受容できる例えばボタン穴の形状の取付け開口部を備え、各々の壁部は、垂直チャネルを有する壁部から又は絶縁ライニングが確実に適用される中実壁部から構成される。
【００２２】
したがって、同一のブロックは、絶縁シートを有することができ、それらの外側に向かう及び内側に向かう熱的及び／又は音響的な絶縁容量は、構造の要件に適するように適応され、かつブロックに取り付けられるシートを変えることによって事後に修正することもできる。
【００２３】
他の特定の実施形態では、まぐさ型枠を形成するために同一の壁部開口部で整列される堰板ブロックを補強する補強鋼を受容する空間を堰板ブロックの内部上方部分に形成するために、ヒンジ要素は堰板ブロックの下方部分のみにわたって垂直に延在する。
【００２４】
このようなブロックは、直立の構造的な骨組み部材の代わりをし、まぐさ型枠を用いる必要性を除去し、また充填材料を任意の生物学的な下塗りを有する保護ケースに維持する。
【００２５】
好ましくは、型枠に対するこの用途では、各々の堰板ブロックは、ブロックの底部及び／又はブロックの端面の少なくとも１つを閉鎖するプレートと協働し、
・  遮断されるべき面に対し平行であり、かつこの面と同一の寸法を有する平坦面と、
・  築造要素の長手方向壁部の継続部に延びる２つの長手方向の曲がった返しと、
・  各々の曲がった返しから反対側の返しに向かってプレート内に突出する楔留めフィンであって、閉鎖されるべきブロックのＶ字状リベートに嵌合できる楔留めフィンと、を備える。
【００２６】
最後に、また本発明の著しく有利な特徴によれば、堰板ブロックの構成要素、特に堰板ブロックの長手方向壁部、堰板ブロックのヒンジを形成する横断方向仕切り部、堰板ブロックの閉鎖プレート及び堰板ブロックの絶縁要素の少なくとも芯は、木屑のような６０〜８０重量％の繊維質材料を含むポリプロピレン混合物の圧縮射出成形によって製造される。
【００２７】
この組成のため、すべての構成要素は、同時に生態系調和型でありつつ、強力かつ軽量である。
【００２８】
さらなる特徴および利点は、この堰板ブロックのいくつかの実施形態を示す添付の概略図を参照して、引き続く説明から明らかになるであろう。
【図面の簡単な説明】
【００２９】
【図１】ブロックが作業位置にあるときのブロックの一実施形態の斜視図である。
【図２】ブロックが予備取り付け位置にあるときのブロックの一実施形態の斜視図である。
【図３】ブロックが保管及び輸送位置にあるときのブロックの一実施形態の斜視図である。
【図４】ヒンジの一実施形態の構造を詳細に示した前図のブロックの壁部の内側の部分斜視図である。
【図５】本発明による堰板ブロックを整列かつ重ね合わせることによって形成された壁部セクションの斜視図である。
【図６】予備取り付け位置の上方ブロックを有する２つのブロックコースの終端図である。
【図７】組み立て工程の２つのブロックを示した上方からの拡大部分平面図である。
【図８】リベート内のタブの相互貫通を示した図６のセクションＶＩＩＩの大きく拡大した図面である。
【図９】ヒンジ要素のいくつかの実施形態の正面図である。
【図１０】ヒンジ要素のいくつかの実施形態の正面図である。
【図１１】ヒンジ要素のいくつかの実施形態の正面図である。
【図１２】ヒンジ要素のいくつかの実施形態の正面図である。
【図１３】絶縁ブロックの２つの実施形態を示した斜視図である。
【図１４】絶縁ブロックの２つの実施形態を示した斜視図である。
【図１５】いくつかの堰板ブロックによって形成されたまぐさ型枠の斜視図である。
【図１６】端壁を備えた図１５のブロックの１つを示した拡大部分斜視図である。
【図１７】湾曲した壁部を有するブロックによって形成された湾曲した壁部セクションの斜視図である。
【発明を実施するための形態】
【００３０】
この図面において、参照番号２はブロックの長手方向壁部を示し、３と４は、横断方向仕切り部を形成するヒンジ要素を示している。これらの要素２〜４の各々は、それらに取り付けられた要素とまったく同じように、剛性プラスチックを成形することによって互いに無関係に獲得される。
【００３１】
一実施形態では、ブロックの様々な構成要素は、６０〜８０重量％程度の割合の木屑のような繊維質材料を含むポリプロピレンの混合物で成形され、好ましくは圧縮成形によって獲得され、材料が未充填の材料の粘度よりも高い粘度を有するとしても、小さな厚さを得ることを可能にする。
【００３２】
図４に詳細に示したように、長手方向壁部２の各々は、内側方向に曲がった返しによって取り囲まれたウェブ２ａから形成され、この返しは、それぞれ上方の長手方向の返し５ａ、下方の長手方向の返し５ｂ、垂直の返し５ｃ及び垂直の返し５ｄである。
【００３３】
図４に詳細に示した実施形態では、それぞれの水平の返し５ｂ及び垂直の返し５ｄの各々は、外側方向に面するＶセクション又はＵセクションリベート７を形成するためにフィン６と関連付けられ、真下のコース内の並置のブロックの壁部のそれぞれの水平の返し５ａと、敷設されているコース内の並置のブロックの壁部の垂直の返し５ｃとによって形成されたキャッチタブを受容するか又は嵌合することができる。
【００３４】
各々の壁部２のウェブ２ａは、当該壁部を通して、ボタン穴のスロットの形状であるキャッチ開口部８を有し、当該壁部のそれぞれの上縁及び下縁の近くに同一の間隔で配置される。図１〜図３は、各々の壁部２が、その外面に、垂直溝１９を有し、この垂直溝が、破断可能な薄肉部を形成しつつ、当該壁部の長さを建物のニーズに適応させるためにブロックを切断できる領域を画定することを示している。図示した実施例では、壁部当たり３つの溝があり、これらの溝は、ブロックに沿って中途にかつ壁部の端部の近くに配置されるが、このような溝の数及び分布は異なってもよい。
【００３５】
壁部のウェブ２ａはまた、内側に面する壁部の面から突出して、垂直リブ９を備え、この垂直リブは、ピボットピンを構成しつつ、垂直空間１２により分離された材料１０のブリッジによってこの壁部に接合される。図面に示した実施形態では、各々の壁部２は３つのピン９を備えるが、実施形態に応じて、この数は異なってもよく、１つから５つであり得る。Ｔ字形として示したこのピンの断面は、円形外装部の内側に内接できる他の任意の形状でもよい。
【００３６】
ピン９は、ヒンジ要素３と４を連接させるように機能し、ヒンジ要素の各々は、その外側方向に面する縁部に、空間１２のピン９にクリップ留めできるＣ字状のフック１３の重ね合わせを備える。各々のフック１３は、機能的な遊びはあるとしても、ピン９を壁部２に接続する材料１０のブリッジの高さに等しい高さの空間１４によってフックの隣接部から分離される。
【００３７】
ヒンジ要素３と４はまた、分解可能な関節によって互いに連接され、この間接は、要素の一方、例えば要素３の内側縁部に、空間１６によって分離される交互のフック１５と、他方の要素、例えば要素４の内側縁部に、フック１５を受容できる交互の円筒状のピンセクション１７とを備える。セクション１７は、円筒状セクション１８によって分離され、円筒状セクション１８は、セクション１７よりも大きな直径を有し、セクション１７を要素の縁部に接続し、同時にセクション１７をこの縁部から離して保持し、これによって、フックを通過させるための空間を形成する。
【００３８】
関節が分解可能であるこの実施形態は、特に有利であるが、ブロックが図３に示した保管及び輸送構造と、図１に示した作業構造とを有することを可能にしつつ、ブロックが要素間の互換性及び広角の０〜１８０°の移動を維持することを前提として、他の任意の実施形態に置き換えることができることが明らかである。
【００３９】
図９〜図１２は、互換性により、ブロックの構成要素を組み立てるときに、一連の要素から選択された異なるヒンジ要素を、例えば、
−  より容易に充填材料の通過を可能にする内部スロットを備える図４〜図９のヒンジ要素３と４を、
−  充填材料のより優れた保持のための隙間のない壁を有する図１０のヒンジ要素３ａと４ａを、
−  ブロックの一方のコース内に補強鋼を受容するためのハウジング２２を形成するように、ブロックの高さの一部分のみにわたって垂直に延在する図１１のヒンジ要素３ｂと４ｂを、
２つの標準壁部２の間に取り付けることが可能であることを示している。
【００４０】
図１２は、ヒンジ要素３ｃと４ｃは、異なる幅をブロックに与えるようにそれらの長さに関し異なってもよいことを示しており、必要に応じてこの特徴を以前の特徴と組み合わせることができる。したがって、同一の壁部２と、異なるヒンジ要素とを組み立てることによって、意図する建物のニーズに完全に合わせた非常に広範囲のブロックを得ることができる。より長い及び／又はより高い壁部２へのリコースは、従来のブロックに当てはまるように、ブロックの重量又はブロックの取り扱いに関連する労力に対する特に大きな影響なしに、範囲の選択をさらに増大させる。
【００４１】
ブロックの構成要素が組み立てられるとき、ヒンジ要素３と４は、２つの壁部２が互いに向かい合って２つの壁部の厚さに実質的に等しい厚さをブロックに付与するまで、図２に示したように互いに対して折られる。
【００４２】
サイズの縮小を可能にするために、ヒンジ要素３と４は、壁部２の返し５ａと５ｂの間の距離よりも短い高さを有し、これらの返しの間に、ヒンジ要素が位置する。
【００４３】
積み重ねられたとき、積み重ねられたブロックの質量が、スタック内の最も低いブロックを損傷しないことを保証するために、壁部はまた、その内面から突出して、図４に見ることができるいくつかの横断方向スタッド２３を備え、スタッドの端部は、曲がった返しの縁部と少なくとも同じ高さであり、同一のブロックの反対壁部２のスタッドの端部に支えられることができる。
【００４４】
ブロックＢ４から形成される他のコースがブロックＢ１、Ｂ２およびＢ３のコースの上に築造される、例えば図５に示したような、ブロックＢ１、Ｂ２及びＢ３のコースから構成された壁部を築造するために、ブロックＢ５をヒンジを折った状態でストックから取り出し、次にヒンジを外側に開いて、ブロックを図２、図５、図６および図７に示した予備取付け構造にしなければならない。この構造により、煉瓦積み職人は、ブロックＢ４の端面と接触させて長手方向にブロックＢ５を位置決めし、ブロックＢ５の垂直の中央面が、敷設されたブロックのコースの長手方向及び垂直のだいたい中央面にあるように、同一のブロックＢ５を横断方向に位置決めすることができる。
【００４５】
したがって、図８に示されているように、ブロックＢ５の下方のリベート７は向かい合うが、下方のブロックＢ３の返し５ａによって形成されたキャッチタブとは接触せず、一方、図７に示されているように、ブロックＢ５の垂直のリベート７は向かい合うが、ブロックＢ４の垂直の返し５ｃによって形成されたキャッチタブとは接触しない。
【００４６】
したがって、ブロックＢ５の作業位置にかつブロックＢ５の最大の幅にブロックＢ５を持ってくるために、壁部２が分離されるとき、リベート７はタブに嵌合して、追加されたブロックＢ５と、すでに敷設されているブロックＢ３とＢ４との間の接合を行う。この接合は、２つの垂直の縁部面及び２つの水平の縁部面で行われ、互いに整列されるヒンジ要素によってロックされる。次の要素の、及びブロックＢ５に着座する次の要素の上の２つの要素の嵌合により、最後の４つの縁部面がこれらのブロックに接合される。
【００４７】
したがって、強力なモノリシック組立体を形成することが可能であり、補強鋼が取り付けられ、かつ所望の熱的な及び／又は音響的な絶縁特性に従って選択されたセメント、コンクリート、コンクリートと麻、コンクリートと打ち込みバーミキュライト、粘土、こね土、石灰、わら、木片及び他の材料のような充填材料が打ち込まれるとき、モノリシック組立体に加えられる負荷の下で変形又は局所的な分解のリスクがない。
【００４８】
壁部のモノリシック的性質はまた、ブロックの分離の危険なしに壁部が充填される前に、ブロック、冷水及び熱水ネットワーク、電気、コンピュータ、音等のネットワークのような建物の様々なネットワークの重ね合わせによって形成された垂直チャネル内に供給することを可能にする。
【００４９】
図１３と図１４は、ブロックの面の１つの上の又はブロックの外面の各々の上の各々のブロックが、ブロックの構成要素の組立時又は壁部の築造後に、熱的な及び／又は音響的な絶縁ライニングを受け入れることが可能であることを示している。各々のライニングは、ブロックの長さ及び高さに等しい長さ及び高さを有する。
【００５０】
図１３では、各々のライニングは、二重壁のプラスチックパネル３０から構成され、このパネル内で、垂直リブ３１は、空気を含みかつ絶縁を行う垂直チャネル３２を境界付ける。
【００５１】
図１４では、ライニングは、中実プラスチックシート３３から構成され、このシートに対し、ポリウレタン発泡体、ポリスチレン又は何か他の絶縁材料のような絶縁材料のパネル３４が取り付けられる。
【００５２】
各々のパネル３０及びシート３３は、取付け手段３５を有し、この取付け手段は、ブロックに対し適用されるべきブロックの面の１つから突出して、ボタン穴のスロット８が取付け手段にキャッチできるように、ボタン穴のスロット８の形状を補完する形状を有する。
【００５３】
さらに、各々のパネル３０、各々のシート３３及び各々の絶縁パネル３４は、それらの外面に、それらの長さがブロックの長さに調製されることができるように、それらの切断を可能にする垂直溝３６を有する。
【００５４】
図１５と図１６に示した実施形態は、本発明によるブロックＢを使用するまぐさ型枠Ｃの創出に関する。各々のブロックは、図１１のブロックのようなブロックであり、すなわち、補強バー及び他の補強鋼を収納するための上方ハウジング２２を境界付けるヒンジ要素３ｂと４ｂを備える。まぐさのケーシングを形成する各々のブロックＢの底部は、底部プレート４０によって閉鎖され、底部プレートは、図１６に詳細に示したように、
−  幅と長さがブロックの幅と長さに対応する平坦壁部４１と、
−  長手方向の曲がった返し４２と、
−  各々の返し４２から突出する楔留めフィン４３とを備える。
【００５５】
各々のブロックＢが、今や開口部Ｔに位置決めされ、そのまぐさが型枠を必要とする支持板に着座しており、ブロックの長手方向壁部２を分離することによって作業構造にされるとき、ブロックの下方及び長手方向のリベート７は、ブロックの端面７の垂直リベート７がすでに敷設されたブロックＢの端面の垂直の返し５ｃに嵌合するのと同時に、底部の楔留めフィン４３に嵌合する。
【００５６】
同じように、開口部Ｔに隣接するブロックＢのコースの各々の最端のブロックの横方向面は、底部プレート４０と同様の端部プレート５０によって閉鎖され、すなわち、端部プレートは、垂直のリベート７又はブロックの垂直の曲がった返し５ｃと協働できる中実プレート、横方向の曲がった返し及びウェッジフィンを有するが、端部プレートの長さに関しこのプレート４０とは異なり、プレート４０の長さよりもむしろブロックの高さに対応する。
【００５７】
再度、底部プレート４０の各々の外面は、外面を分割できる場所をマークする溝４４を備える。
【００５８】
図１５は、底面４０及び端部プレート５０は型枠を閉鎖し、これによって、充填材料が打ち込まれるときに充填材料が漏れるのを防止するのみならず、任意の下塗り又は任意の追加の面要素を取ることができる支持体を形成することによって、開口部の周囲の仕上げに寄与することを明らかに示している。
【００５９】
最後に、また図１７に示されているように、各々のブロックの長手方向壁部１０２ａと１０２ｂは、なお平行に維持しつつ、同心の半径を有する円形の円弧に湾曲させて、円形の壁部を形成することが可能である。一連の異なる要素から選択されたヒンジ要素３と４からなお形成された横断方向仕切り部は、ブロックの長さに応じて１〜５の数であり得る。
【００６０】
上述の説明から、本発明による堰板ブロックが、既存のブロックと較べて次の多数の利点を可能にすることが明らかである。すなわち、
−  ブロックの長手方向壁部を移動する機能であって、共により近く移動されるときにパレット上の保管及び積み重ねをより容易にするための折り畳み性を付与し、また離して移動されるときにブロックが隣接するブロックの上にフックすることを可能にする機能、
−  ブロックの取り扱いに関係する物理的な労力を低減する重量の軽さ、
−  壁部又は型枠の製造及び築造時のより小さな許容公差、
−  ブロックの寸法、特に１５０〜５００ミリメートルに変化できるブロックの幅に関する、ブロックの横断方向仕切り部の性質、隙間のない又は開口加工、高い又は中間高さに関する、及びブロックの熱的及び／又は音響的な絶縁に関する及びブロックの充填材料の選択に関する現場要件に適する適応性、
−  重ね合わせられたコースに拡げられるブロックを共に接合し、したがって接合部の亀裂の危険性を除去するための任意のモルタル又は接着剤の必要性の除去
−  ブロックを敷設するために必要な支持構造の削減及び簡略化、特に型押し及び軽量コンクリート用の直立の構造的な骨組み部材の除去。
【図１】
0005467405.tif 000002
【図２】
0005467405.tif 000003
【図３】
0005467405.tif 000004
【図４】
0005467405.tif 000005
【図５】
0005467405.tif 000006
【図６】
0005467405.tif 000007
【図７】
0005467405.tif 000008
【図８】
0005467405.tif 000009
【図９】
0005467405.tif 000010
【図１０】
0005467405.tif 000011
【図１１】
0005467405.tif 000012
【図１２】
0005467405.tif 000013
【図１３】
0005467405.tif 000014
【図１４】
0005467405.tif 000015
【図１５】
0005467405.tif 000016
【図１６】
0005467405.tif 000017
【図１７】
0005467405.tif 000018